【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
駆動機構ハウジング１３０であって、ピストン１１０の内部キャビティ内で最初はエネルギ蓄積状態で配置される付勢部材１２２の少なくとも一部分が最初は前記駆動機構ハウジング１３０内に存在する、前記駆動機構ハウジング１３０と、ギヤ５２０及び略軸方向内部貫通開口１２０Ａを有するギヤ駆動部１２０と、少なくとも一部分が前記軸方向内部貫通開口１２０Ａ内に存在する第１のねじ１２４であって、前記第１のねじ１２４は又、略軸方向貫通開口１２４Ａ及び外側第１ピッチ１２４Ｂを有し、前記外側第１ピッチ１２４Ａは、第１のナット１２６と係合するように構成され、前記第１のナット１２６も前記ギヤ駆動部１２０の前記内部貫通開口１２０Ａ内に存在する、前記第１のねじ１２４と、外側第２ピッチ１３２Ｂを有する第２のねじ１３２と係合するように構成された第２のナット１２８であって、前記第２のナット１２８は、ピストン１１０の軸方向ポスト１１０Ｂ内に位置し、前記軸方向ポスト１１０Ｂ及び前記第２のナット１２８は、少なくとも一部分が前記第１のねじ１２４の前記軸方向貫通開口１２４Ａ内に存在するように位置する、前記第２のナット１２８と、を備える可変流量制御送達駆動機構１００であって、前記ピストン１１０は、プランジャ封止材６０に隣接する接合面１１０Ｃを有し、前記付勢部材１２２から前記ピストン１１０にかけられる力によって、前記プランジャ封止材６０を、薬剤送達の為に薬剤容器５０内の第１の位置から第２の位置まで軸方向平行移動させるように構成されており、前記付勢部材１２２は、そのエネルギ蓄積状態からの自由伸張を計量調節される、駆動機構１００。
【請求項２】
前記薬剤容器５０は、薬剤チャンバ２１内に薬剤流体を収容する、請求項１に記載の駆動機構１００。
【請求項３】
前記ピストン１１０と、前記駆動機構ハウジング１３０の遠位端との間で、カバースリーブ１４０が、前記ピストン１１０と係合して、前記ピストン１１０上を摺動するように構成されてよい、請求項１から２のいずれか一項に記載の駆動機構１００。
【請求項４】
前記第１のナット１２６は、前記ギヤ駆動部１２０に対して回転しないように拘束されている、請求項１から３のいずれか一項に記載の駆動機構１００。
【請求項５】
前記第２のナット１２８は、前記ピストン１１０に対して回転しないように拘束されている、請求項１から４のいずれか一項に記載の駆動機構１００。
【請求項６】
モータ５３０を有するギヤアセンブリ機構５００を更に備え、前記ギヤアセンブリ機構５００は、ギヤ５２０と係合して、前記付勢部材１２２の、そのエネルギ蓄積状態からの前記自由伸張を計量調節するように構成されている、請求項１から６のいずれか一項に記載の駆動機構１００。
【請求項７】
モータ５３０を有する前記ギヤアセンブリ機構５００は更に、モータ５３０から延びるピニオン５３０Ａと、第１のギヤ５２６Ｂ及び第２のギヤ５２６Ａを有する第１の複合ギヤ５２６と、第１のギヤ５２８Ｂ及び第２のギヤ５２８Ａを有する第２の複合ギヤ５２８と、トリガギヤ５２４と、を備え、前記ピニオン５３０Ａは、前記第１の複合ギヤ５２６の前記第１のギヤ５２６Ｂに接触し、前記第１の複合ギヤ５２６の前記第２のギヤ５２６Ａは、前記第２の複合ギヤ５２８の前記第１のギヤ５２８Ｂに接触し、前記第２の複合ギヤ５２８の前記第２のギヤ５２８Ａは、前記トリガギヤ５２４に接触し、前記トリガギヤ５２４は、前記駆動機構１００に動きを伝えるギヤ５２０に接触する、請求項６に記載の駆動機構１００。
【請求項８】
前記モータ５３０が前記付勢部材１２２の計量調節を行うことにより、ユーザへの薬剤送達の流量又は特性が制御される、請求項１から７のいずれか一項に記載の駆動機構１００。
【請求項９】
状態読み取り器６００、１６００が、対応する１つ以上の状態トリガを読み取るか認識するように構成されてよく、前記駆動機構１００の動作中は、前記状態読み取り器６００、１６００と前記状態トリガとの間の相互作用によって、ユーザにフィードバックを与える為の信号が電源／制御系４００に送信される、請求項１から８のいずれか一項に記載の駆動機構１００。
【請求項１０】
前記状態読み取り器１６００は、光学式状態読み取り器であり、前記対応する状態トリガは、前記トリガギヤ５２４のギヤ歯である、請求項９に記載の駆動機構１００。
【請求項１１】
前記状態読み取り器６００は、機械式状態読み取り器であり、前記対応する状態トリガは、前記トリガギヤ５２４のギヤ歯である、請求項９に記載の駆動機構１００。
【請求項１２】
前記状態読み取り器６００は、機械式状態読み取り器であり、前記対応する状態トリガは、前記ピストン１１０及び／又は前記スリーブ１４０の外形である、請求項９に記載の駆動機構１００。
【請求項１３】
前記状態読み取り器１６００は、光学式状態読み取り器であり、前記対応する状態トリガは、前記ピストン１１０及び／又は前記スリーブ１４０の外形である、請求項９に記載の駆動機構１００。
【請求項１４】
モータ５３０を有する前記ギヤアセンブリ機構５００の機能は、薬剤送達の所望の流量又は特性を満たすべく、あらかじめプログラムされているか、電源／制御系４００によって動的に制御される、請求項１から１３のいずれか一項に記載の駆動機構１００。
【請求項１５】
ハウジング１２及びアセンブリプラットフォーム２０を備え、可変流量制御送達機構１００、１１００を有する薬剤送達ポンプ１０であって、前記アセンブリプラットフォーム２０上には、駆動機構１４と、挿入機構２００と、流体経路接続部３００と、電源／制御系４００と、薬剤容器５０、１０５０を有する可変流量制御送達駆動機構１００、１１００とが取り付けられてよく、前記駆動機構１００、１１００は、請求項１から１４のいずれか一項に記載の駆動機構である、薬剤送達ポンプ１０。
【手続補正２】
【補正対象書類名】明細書
【補正対象項目名】００６１
【補正方法】変更
【補正の内容】
【００６１】
本明細書全体での意図は、本発明をいかなる１つの実施形態又は具体的な機能集合体にも限定することなく、本発明の好ましい実施形態を説明することであった。本発明から逸脱しない限り、説明及び図解された実施形態に対して、様々な変更及び修正が行われてよい。本明細書中で参照された特許文献、科学文献、コンピュータプログラム、及びアルゴリズムのそれぞれの開示は、参照によってその全体が組み込まれている。
〔付記１〕
駆動機構ハウジング１３０であって、ピストン１１０の内部キャビティ内で最初はエネルギ蓄積状態で配置される付勢部材１２２の少なくとも一部分が最初は前記駆動機構ハウジング１３０内に存在する、前記駆動機構ハウジング１３０と、ギヤ５２０及び略軸方向内部貫通開口１２０Ａを有するギヤ駆動部１２０と、少なくとも一部分が前記軸方向内部貫通開口１２０Ａ内に存在する第１のねじ１２４であって、前記第１のねじ１２４は又、略軸方向貫通開口１２４Ａ及び外側第１ピッチ１２４Ｂを有し、前記外側第１ピッチ１２４Ａは、第１のナット１２６と係合するように構成され、前記第１のナット１２６も前記ギヤ駆動部１２０の前記内部貫通開口１２０Ａ内に存在する、前記第１のねじ１２４と、外側第２ピッチ１３２Ｂを有する第２のねじ１３２と係合するように構成された第２のナット１２８であって、前記第２のナット１２８は、ピストン１１０の軸方向ポスト１１０Ｂ内に位置し、前記軸方向ポスト１１０Ｂ及び前記第２のナット１２８は、少なくとも一部分が前記第１のねじ１２４の前記軸方向貫通開口１２４Ａ内に存在するように位置する、前記第２のナット１２８と、を備える可変流量制御送達駆動機構１００であって、前記ピストン１１０は、プランジャ封止材６０に隣接する接合面１１０Ｃを有し、前記付勢部材１２２から前記ピストン１１０にかけられる力によって、前記プランジャ封止材６０を、薬剤送達の為に薬剤容器５０内の第１の位置から第２の位置まで軸方向平行移動させるように構成されており、前記付勢部材１２２は、そのエネルギ蓄積状態からの自由伸張を計量調節される、駆動機構１００。
〔付記２〕
前記薬剤容器５０は、薬剤チャンバ２１内に薬剤流体を収容する、請求項１に記載の駆動機構１００。
〔付記３〕
前記ピストン１１０と、前記駆動機構ハウジング１３０の遠位端との間で、カバースリーブ１４０が、前記ピストン１１０と係合して、前記ピストン１１０上を摺動するように構成されてよい、請求項１から２のいずれか一項に記載の駆動機構１００。
〔付記４〕
前記第１のナット１２６は、前記ギヤ駆動部１２０に対して回転しないように拘束されている、請求項１から３のいずれか一項に記載の駆動機構１００。
〔付記５〕
前記第２のナット１２８は、前記ピストン１１０に対して回転しないように拘束されている、請求項１から４のいずれか一項に記載の駆動機構１００。
〔付記６〕
モータ５３０を有するギヤアセンブリ機構５００を更に備え、前記ギヤアセンブリ機構５００は、ギヤ５２０と係合して、前記付勢部材１２２の、そのエネルギ蓄積状態からの前記自由伸張を計量調節するように構成されている、請求項１から６のいずれか一項に記載の駆動機構１００。
〔付記７〕
モータ５３０を有する前記ギヤアセンブリ機構５００は更に、モータ５３０から延びるピニオン５３０Ａと、第１のギヤ５２６Ｂ及び第２のギヤ５２６Ａを有する第１の複合ギヤ５２６と、第１のギヤ５２８Ｂ及び第２のギヤ５２８Ａを有する第２の複合ギヤ５２８と、トリガギヤ５２４と、を備え、前記ピニオン５３０Ａは、前記第１の複合ギヤ５２６の前記第１のギヤ５２６Ｂに接触し、前記第１の複合ギヤ５２６の前記第２のギヤ５２６Ａは、前記第２の複合ギヤ５２８の前記第１のギヤ５２８Ｂに接触し、前記第２の複合ギヤ５２８の前記第２のギヤ５２８Ａは、前記トリガギヤ５２４に接触し、前記トリガギヤ５２４は、前記駆動機構１００に動きを伝えるギヤ５２０に接触する、請求項６に記載の駆動機構１００。
〔付記８〕
前記モータ５３０が前記付勢部材１２２の計量調節を行うことにより、ユーザへの薬剤送達の流量又は特性が制御される、請求項１から７のいずれか一項に記載の駆動機構１００。
〔付記９〕
状態読み取り器６００、１６００が、対応する１つ以上の状態トリガを読み取るか認識するように構成されてよく、前記駆動機構１００の動作中は、前記状態読み取り器６００、１６００と前記状態トリガとの間の相互作用によって、ユーザにフィードバックを与える為の信号が電源／制御系４００に送信される、請求項１から８のいずれか一項に記載の駆動機構１００。
〔付記１０〕
前記状態読み取り器１６００は、光学式状態読み取り器であり、前記対応する状態トリガは、前記トリガギヤ５２４のギヤ歯である、請求項９に記載の駆動機構１００。
〔付記１１〕
前記状態読み取り器６００は、機械式状態読み取り器であり、前記対応する状態トリガは、前記トリガギヤ５２４のギヤ歯である、請求項９に記載の駆動機構１００。
〔付記１２〕
前記状態読み取り器６００は、機械式状態読み取り器であり、前記対応する状態トリガは、前記ピストン１１０及び／又は前記スリーブ１４０の外形である、請求項９に記載の駆動機構１００。
〔付記１３〕
前記状態読み取り器１６００は、光学式状態読み取り器であり、前記対応する状態トリガは、前記ピストン１１０及び／又は前記スリーブ１４０の外形である、請求項９に記載の駆動機構１００。
〔付記１４〕
モータ５３０を有する前記ギヤアセンブリ機構５００の機能は、薬剤送達の所望の流量又は特性を満たすべく、あらかじめプログラムされているか、電源／制御系４００によって動的に制御される、請求項１から１３のいずれか一項に記載の駆動機構１００。
〔付記１５〕
駆動機構ハウジング１１３０であって、ピストン１１１０の内部キャビティ内で最初はエネルギ蓄積状態で配置される付勢部材１１２２の少なくとも一部分が最初は前記駆動機構ハウジング１１３０内に存在する、前記駆動機構ハウジング１１３０と、外側ピッチ１１２４Ｂを有する駆動ねじ１１２４の近位端に接続されたギヤ１５２０であって、前記外側ピッチ１１２４Ｂはナット１１２６と係合するように構成されている、前記ギヤ１５２０と、を備える可変流量制御送達駆動機構１１００であって、前記ピストン１１１０は、プランジャ封止材１０６０に隣接する接合面１１１０Ｃを有し、前記付勢部材１１２２から前記ピストン１１１０にかけられる力によって、前記プランジャ封止材１０６０を、薬剤送達の為に薬剤容器１０５０内の第１の位置から第２の位置まで軸方向平行移動させるように構成されており、前記付勢部材１１２２は、そのエネルギ蓄積状態からの自由伸張を計量調節される、駆動機構１００。
〔付記１６〕
前記薬剤容器１０５０は、薬剤チャンバ１０２１内に薬剤流体を収容する、請求項１５に記載の駆動機構１１００。
〔付記１７〕
前記ナット１１２６は、ピストン１１１０に対して回転しないように拘束されている、請求項１５から１６のいずれか一項に記載の駆動機構１１００。
〔付記１８〕
モータ１５３０を有するギヤアセンブリ機構１５００を更に備え、前記ギヤアセンブリ機構１５００は、ギヤ１５２０と係合して、前記付勢部材１１２２の、そのエネルギ蓄積状態からの自由伸張を計量調節するように構成されている、請求項１５から１７のいずれか一項に記載の駆動機構１１００。
〔付記１９〕
モータ１５３０を有する前記ギヤアセンブリ機構１５００は更に、モータ１５３０から延びるピニオン１５３０Ａと、第１のギヤ５２６Ｂ及び第２のギヤ５２６Ａを有する第１の複合ギヤ５２６と、第１のギヤ５２８Ｂ及び第２のギヤ５２８Ａを有する第２の複合ギヤ５２８と、トリガギヤ５２４と、を備え、前記ピニオン１５３０Ａは、前記第１の複合ギヤ５２６の前記第１のギヤ５２６Ｂに接触し、前記第１の複合ギヤ５２６の前記第２のギヤ５２６Ａは、前記第２の複合ギヤ５２８の前記第１のギヤ５２８Ｂに接触し、前記第２の複合ギヤ５２８の前記第２のギヤ５２８Ａは、前記トリガギヤ５２４に接触し、前記トリガギヤ５２４は、前記駆動機構１１００に動きを伝えるギヤ５２０に接触する、請求項１８に記載の駆動機構１１００。
〔付記２０〕
前記モータ１５３０が前記付勢部材１１２２の計量調節を行うことにより、ユーザへの薬剤送達の流量又は特性が制御される、請求項１５から１９のいずれか一項に記載の駆動機構１１００。
〔付記２１〕
状態読み取り器６００、１６００が、対応する１つ以上の状態トリガを読み取るか認識するように構成されてよく、前記駆動機構１１００の動作中は、前記状態読み取り器６００、１６００と前記状態トリガとの間の相互作用によって、ユーザにフィードバックを与える為の信号が電源／制御系４００に送信される、請求項１５から２０のいずれか一項に記載の駆動機構１１００。
〔付記２２〕
前記状態読み取り器１６００は、光学式状態読み取り器であり、前記対応する状態トリガは、前記トリガギヤ５２４のギヤ歯である、請求項２１に記載の駆動機構１１００。
〔付記２３〕
前記状態読み取り器６００は、機械式状態読み取り器であり、前記対応する状態トリガは、前記トリガギヤ５２４のギヤ歯である、請求項２１に記載の駆動機構１１００。
〔付記２４〕
前記状態読み取り器６００は、機械式状態読み取り器であり、前記対応する状態トリガは、前記ピストン１１１０の外形である、請求項２３に記載の駆動機構１１００。
〔付記２５〕
前記状態読み取り器１６００は、光学式状態読み取り器であり、前記対応する状態トリガは、前記ピストン１１１０の外形である、請求項２３に記載の駆動機構１００。
〔付記２６〕
モータ１５３０を有する前記ギヤアセンブリ機構１５００の機能は、薬剤送達の所望の流量又は特性を満たすべく、あらかじめプログラムされているか、電源／制御系４００によって動的に制御される、請求項１５から２５のいずれか一項に記載の駆動機構１１００。
〔付記２７〕
ハウジング１２及びアセンブリプラットフォーム２０を備え、可変流量制御送達機構１００、１１００を有する薬剤送達ポンプ１０であって、前記アセンブリプラットフォーム２０上には、駆動機構１４と、挿入機構２００と、流体経路接続部３００と、電源／制御系４００と、薬剤容器５０、１０５０を有する可変流量制御送達駆動機構１００、１１００とが取り付けられてよく、前記駆動機構１００、１１００は、請求項１に記載の駆動機構１００、及び請求項１５に記載の駆動機構１１００からなる群から選択される、薬剤送達ポンプ１０。
〔付記２８〕
前記薬剤容器１０５０は、薬剤チャンバ１０２１内に薬剤流体を収容する、請求項２７に記載の薬剤送達ポンプ１０。
〔付記２９〕
モータ５３０、１５３０を有するギヤアセンブリ機構５００、１５００を更に備え、前記ギヤアセンブリ機構５００、１５００は、ギヤ５２０、１５２０と係合して、前記付勢部材１１２２の、そのエネルギ蓄積状態からの自由伸張を計量調節するように構成されている、請求項２７から２８のいずれか一項に記載の薬剤送達ポンプ１０。
〔付記３０〕
モータ５３０、１５３０を有する前記ギヤアセンブリ機構５００、１５００は更に、モータ５３０、１５３０から延びるピニオン５３０Ａ、１５３０Ａと、第１のギヤ５２６Ｂ及び第２のギヤ５２６Ａを有する第１の複合ギヤ５２６と、第１のギヤ５２８Ｂ及び第２のギヤ５２８Ａを有する第２の複合ギヤ５２８と、トリガギヤ５２４と、を備え、前記ピニオン５３０Ａ、１５３０Ａは、前記第１の複合ギヤ５２６の前記第１のギヤ５２６Ｂに接触し、前記第１の複合ギヤ５２６の前記第２のギヤ５２６Ａは、前記第２の複合ギヤ５２８の前記第１のギヤ５２８Ｂに接触し、前記第２の複合ギヤ５２８の前記第２のギヤ５２８Ａは、前記トリガギヤ５２４に接触し、前記トリガギヤ５２４は、前記駆動機構１００、１１００に動きを伝えるギヤ５２０に接触する、請求項２９に記載の薬剤送達ポンプ１０。
〔付記３１〕
前記モータ５３０、１５３０が前記付勢部材１２２、１１２２の計量調節を行うことにより、ユーザへの薬剤送達の流量又は特性が制御される、請求項２７から３０のいずれか一項に記載の薬剤送達ポンプ１０。
〔付記３２〕
状態読み取り器６００、１６００が、対応する１つ以上の状態トリガを読み取るか認識するように構成されてよく、前記駆動機構１００、１１００の動作中は、前記状態読み取り器６００、１６００と前記状態トリガとの間の相互作用によって、ユーザにフィードバックを与える為の信号が電源／制御系４００に送信される、請求項２７から３１のいずれか一項に記載の薬剤送達ポンプ１０。
〔付記３３〕
前記状態読み取り器１６００は、光学式状態読み取り器であり、前記対応する状態トリガは、前記トリガギヤ５２４のギヤ歯である、請求項３２に記載の薬剤送達ポンプ１０。
〔付記３４〕
前記状態読み取り器６００は、機械式状態読み取り器であり、前記対応する状態トリガは、前記トリガギヤ５２４のギヤ歯である、請求項３２に記載の薬剤送達ポンプ１０。
〔付記３５〕
前記状態読み取り器６００は、機械式状態読み取り器であり、前記対応する状態トリガは、前記ピストン１１０、１１１０及び／又は前記スリーブ１４０の外形である、請求項３２に記載の薬剤送達ポンプ１０。
〔付記３６〕
前記状態読み取り器１６００は、光学式状態読み取り器であり、前記対応する状態トリガは、前記ピストン１１０、１１１０及び／又は前記スリーブ１４０の外形である、請求項３２に記載の薬剤送達ポンプ１０。
〔付記３７〕
モータ５３０、１５３０を有する前記ギヤアセンブリ機構５００、１５００の機能は、薬剤送達の所望の流量又は特性を満たすべく、あらかじめプログラムされているか、電源／制御系４００によって動的に制御される、請求項２７から３６のいずれか一項に記載の薬剤送達ポンプ１０。